【手続補正書】
【提出日】令和2年5月13日(2020.5.13)
【手続補正１】
【補正対象書類名】明細書
【補正対象項目名】全文
【補正方法】変更
【補正の内容】
【発明の詳細な説明】
【発明の名称】電動リール
【技術分野】
【０００１】
本発明は、電動リールに関する。
【背景技術】
【０００２】
ワカサギ等の小魚を釣る際には、釣り用リール、例えば電動リールが用いられることがある。このタイプの電動リールは、リール本体と、スプール軸と、スプールと、モータとを、有している（特許文献１及び特許文献２を参照）。
【０００３】
リール本体の先端には、穂先竿が装着される。スプール軸は、リール本体に装着される。スプールは、スプール軸に支持されるスプール。モータは、駆動軸を有する。駆動軸は、スプールに接触することによって、スプールを回転させる。この種のリールでは、スプールの回転軸がリール本体に対して鉛直に配置されるもの（特許文献１）と、スプールの回転軸がリール本体に対して水平に配置されるもの（特許文献２）とがある。
【先行技術文献】
【特許文献】
【０００４】
【特許文献１】特開２０１１−１６７１３４号公報
【特許文献２】特開２０１３−２２００７号公報
【発明の概要】
【発明が解決しようとする課題】
【０００５】
特許文献１の電動リールでは、糸止めを設けた上側のフランジ部が露出し、下側のフランジ部がリール本体に覆われている。このため、スプールの回転時に指によってスプール（上側のフランジ部）に抵抗を加える場合、すなわちサミングを行う場合、糸止めが指に接触するおそれがある。
一方で、特許文献２の電動リールでは、スプール軸が水平に配置されているので、特許文献１における問題を解決することができる。しかしながら、このタイプの電動リールでは、リール本体及びスプールのフランジ部の軸方向間には、隙間が設けられている。このため、釣りを行っている際に、釣り糸がフケたりした場合、糸巻き胴部上の釣り糸が、リール本体及びフランジ部の間の隙間に侵入してしまうおそれがある。
【０００６】
本発明は、上記の問題に鑑みてなされたものであって、本発明の目的は、スプール軸を水平に配置したリールの使用時にリール本体及びフランジ部の間の隙間への釣り糸の侵入を防止可能な電動リールを、提供することにある。
【課題を解決するための手段】
【０００７】
本発明の一側面に係る電動リールは、リール本体と、スプール軸と、スプールと、モータとを、備える。スプール軸は、水平にリール本体に装着される。スプールは、スプール軸に回転可能に支持される。スプールは、釣り糸が巻き付けられる糸巻き胴部と、糸巻き胴部に設けられるフランジ部とを、有する。モータは、フランジ部に接触することによってスプールを回転させる駆動軸を、有する。
【０００８】
ここで、リール本体は、本体部と、スプール軸保持部と、釣糸侵入規制部とを、有する。スプール軸保持部は、本体部に設けられ、スプール軸を保持する。釣糸侵入規制部は、スプール軸保持部に設けられる。釣糸侵入規制部は、フランジ部の外周部を覆うことによって、本体部及びフランジ部の間への釣り糸の侵入を規制する。
【０００９】
本電動リールでは、釣糸侵入規制部が、フランジ部の外周部を覆っているので、本体部及びフランジ部の間への釣り糸の侵入を規制することができる。すなわち、本電動リールでは、リール本体及びフランジ部の間への釣り糸の侵入を規制することができる。
【００１０】
本発明の他の側面に係る電動リールでは、釣糸侵入規制部が、カバー部を有することが好ましい。カバー部は、フランジ部の外周部に沿うように形成され、フランジ部の外周部を部分的に覆う。
【００１１】
この構成によって、リール本体及びフランジ部の間への釣り糸の侵入を規制することができ、且つカバー部に覆われていないフランジ部をサミングすることによって、スプールの回転を制御することができる。
【００１２】
本発明の他の側面に係る電動リールでは、フランジ部が、カバー部に覆われる第１外周部と、カバー部に覆われない第２外周部とを、有することが好ましい。
【００１３】
この構成によって、第２外周部をサミングすることによって、スプールの回転を好適に制御することができる。
【００１４】
本発明の他の側面に係る電動リールでは、第２外周部が、スプール軸に関する径方向において、リール本体の外面から部分的に突出していることが好ましい。
【００１５】
この構成によって、第２外周部をサミングすることによって、スプールの回転をより好適に制御することができる。
【００１６】
本発明の他の側面に係る電動リールでは、本体部が、スプール配置部を、有することが好ましい。スプール配置部は、スプールを配置するために外面が凹状に形成される。この場合、カバー部は、第１カバー部を有する。第１カバー部は、スプール軸に関する径方向において、スプール配置部の開口側に設けられる。
【００１７】
この構成によって、電動リールをコンパクトに形成することができ、且つリール本体及びフランジ部の間への釣り糸の侵入を、好適に規制することができる。
【００１８】
本発明の他の側面に係る電動リールでは、カバー部が、第２カバー部を、さらに有することが好ましい。第２カバー部は、第１カバー部からスプール軸まわりの周方向に延び、且つスプール配置部とフランジ部の外周部との間に配置される。
【００１９】
この構成によって、リール本体及びフランジ部の間への釣り糸の侵入を、より好適に規制することができる。
【００２０】
本発明の他の側面に係る電動リールでは、駆動軸が、周方向において、第２カバー部の端部と間隔を隔てて配置されることが好ましい。
【００２１】
この構成によって、リール本体に釣糸侵入規制部を設けたとしても、駆動軸をフランジ部に好適に接触させることができる。
【００２２】
本発明の他の側面に係る電動リールでは、本体部が、スプールを配置するために外面が凹状に形成されたスプール配置部を、有することが好ましい。この場合、釣糸侵入規制部は、カバー部とスプール軸保持部とを連結する連結部を、さらに有する。連結部は、スプール軸に関する軸方向において、スプール配置部及びフランジ部との間に配置される。
【００２３】
この構成によって、リール本体及びフランジ部の間の隙間への釣り糸の侵入を、確実に防止することができる。
【００２４】
本発明の他の側面に係る電動リールでは、カバー部が、スプール軸まわりの周方向において、駆動軸から１８０度以上且つ３００度未満の範囲内でフランジ部の外周部を部分的に覆うことが好ましい。
【００２５】
この構成によって、リール本体及びフランジ部の間への釣り糸の侵入を規制することができ、且つカバー部に覆われていないフランジ部を好適にサミングすることができる。
【発明の効果】
【００２６】
本発明では、電動リールにおいて、リール使用時にリール本体及びフランジ部の間の隙間への釣り糸の侵入を防止することできる。
【図面の簡単な説明】
【００２７】
【図１】本発明の第１実施形態を採用した電動リールを前方から見たときの斜視図。
【図２】前記電動リールの右側面図。
【図３】前記電動リールの正面図。
【図４】前記電動リールを上方から見たときの平面図（リール本体を除く）。
【図５】前記電動リールの左側面図。
【図６Ａ】前記電動リールにおける第１ケース部材の左側面図。
【図６Ｂ】前記電動リールにおける第２ケース部材の左側面図。
【図６Ｃ】前記電動リールにおける蓋部材の左側面図。
【図７】前記電動リールを前方から見たときの拡大斜視図（スプールを除く）。
【図８Ａ】前記電動リールにおけるサブケースの左側面図。
【図８Ｂ】前記電動リールにおけるサブケースの正面図。
【図８Ｃ】前記電動リールにおけるサブケースの右側面図。
【図９】前記電動リールにおいてフレーム部材に装着されたモータを説明するための斜視図。
【図１０】前記電動リールにおけるフレーム部材を下方から見た平面図。
【図１１Ａ】前記電動リールにおいてフレーム部材に対するクラッチ部材の装着形態を示す斜視図。
【図１１Ｂ】前記電動リールにおけるクラッチ部材の姿勢を説明するための正面図（第１姿勢）。
【図１１Ｃ】前記電動リールにおけるクラッチ部材の姿勢を説明するための正面図（第２姿勢）。
【図１２】前記電動リールにおけるスプールの斜視図。
【図１３】前記電動リールにおけるスプールの部分拡大断面図。
【図１４】前記電動リールにおける糸止め部材の斜視図。
【図１５】前記第１実施形態の変形例１におけるスプールの部分拡大断面図。
【図１６】本発明の第２実施形態を採用した電動リールのスプールの左側面図。
【図１７】前記電動リールにおけるスプールの切断線XVIIにおけるスプールの断面図。
【図１８】前記電動リールにおけるスプールの部分拡大斜視図。
【図１９】前記電動リールにおける糸止め部材の斜視図。
【発明を実施するための形態】
【００２８】
〔第１実施形態〕
本発明の一実施形態が採用された電動リール１は、ワカサギ等の小魚を釣るときに使用されるリールである。
【００２９】
図１〜図３に示すように、電動リール１は、リール本体３と、スプール軸５（図７を参照）と、スプール７と、モータ９と、クラッチ部材１１と、複数（例えば３個）の糸止め部材１３とを、備えている。また、電動リール１は、図９及び図１１Ａに示すように、第１付勢部材１５と、第２付勢部材１７とを、さらに備える。さらに、図４に示すように、電動リール１は、モータ９を駆動するためにリール本体３に配置される電源部１９を、さらに備える。
【００３０】
ここで、以下で用いられる文言について、説明しておく。
【００３１】
電動リール１に対して穂先竿Ｒが装着された状態において、穂先竿Ｒが延びる方向、すなわち釣り糸が繰り出される方向を、前方と記すことがある。また、穂先竿Ｒが延びる方向とは反対の方向、すなわち釣り糸が繰り出される方向とは反対の方向を、後方と記すことがある。
【００３２】
上記の前方及び後方の定義に基づいて、リール本体３において、前部及び後部という文言が、用いられることがある。また、表示部４が配置される側（部分）を、上側（上部）と記し、電源部１９が配置される側（部分）を、下側（下部）と記すことがある。さらに、前部、後部、上部、及び下部に基づいて、側部という文言が用いられることがある。
【００３３】
図２〜図４に示すように、第１回転軸心Ｊ１は、スプール７の回転軸心である。第１回転軸心Ｊ１は、スプール軸５の軸心と同芯である。第１回転軸心Ｊ１が延びる方向、及び第１回転軸心Ｊ１に沿う方向を、スプール軸方向と記すことがある。
【００３４】
図２〜図４に示すように、第２回転軸心Ｊ２は、モータ９の駆動軸５５の回転軸心である。第２回転軸心Ｊ２は、第１回転軸心Ｊ１を含む平面Ｈと間隔を隔てて、配置される。第２回転軸心Ｊ２は、ある点で平面Ｈと交差してもよく、平面Ｈと平行であってもよい。ここでは、第２回転軸心Ｊ２は、平面Ｈと交差する。
【００３５】
ここで、平面Ｈは、リール本体３の下部に接触する基準面Ｋ（図２を参照）と、実質的に平行な面である。詳細には、基準面Ｋは、リール本体３の下部に３点以上で接触する面である。なお、基準面Ｋは、第１回転軸心Ｊ１、第２回転軸心Ｊ２、及び第２揺動軸心Ｋ２（後述する）と間隔を隔てて配置されている。
【００３６】
図４に示すように、第２回転軸心Ｊ２は、第１回転軸心Ｊ１と食い違う方向に延びている。具体的には、平面Ｈを、平面Ｈに直交する方向から見た場合に、第２回転軸心Ｊ２は、第１回転軸心Ｊ１と食い違う方向に延びている。なお、駆動軸５５がスプール７に接触した状態においては、第２回転軸心Ｊ２は、第１回転軸心Ｊ１と直交する方向に延びている。
【００３７】
図２及び図４に示すように、第１揺動軸心Ｋ１は、モータ９の揺動軸心である。第１揺動軸心Ｋ１は、第１回転軸心Ｊ１を含む平面Ｈを通過する方向に、延びている。また、第１揺動軸心Ｋ１は、スプール７の第１回転軸心Ｊ１と食い違う方向に延びている。
【００３８】
図２及び図４に示すように、第２揺動軸心Ｋ２は、クラッチ部材１１の揺動軸心である。第２揺動軸心Ｋ２は、第１回転軸心Ｊ１を含む平面Ｈと間隔を隔てて、配置される。第２揺動軸心Ｋ２は、ある点で平面Ｈと交差してもよく、平面Ｈと平行であってもよい。ここでは、第２揺動軸心Ｋ２は、平面Ｈと交差する。
【００３９】
図４に示すように、第２揺動軸心Ｋ２は、スプール７の第１回転軸心Ｊ１と食い違う方向に延びている。具体的には、第２揺動軸心Ｋ２を含む平面Ｈを、第１回転軸心Ｊ１を含む平面Ｈに直交する方向から見た場合に、第２揺動軸心Ｋ２は、第１回転軸心Ｊ１と食い違う方向に延びている。ここでは、第２揺動軸心Ｋ２は、第１回転軸心Ｊ１と実質的に直交する方向に延びている。
【００４０】
＜リール本体＞
図１に示すように、リール本体３の前部には、穂先竿Ｒが装着される。図１及び図２に示すように、リール本体３の上部には、各種の情報を表示する表示部４が、設けられている。リール本体３の内部には、内部空間Ｓが形成されている。すなわち、リール本体３は、内部空間Ｓを有する。また、リール本体３は、内部空間Ｓから外部空間Ｇに連通する長孔部２７ｃを、有する。なお、図１及び図２では、符号Ｓの下線を破線にすることによって、内部空間Ｓが表現されている。
【００４１】
リール本体３は、一方向に長く形成されている。リール本体３（表示部４）を上方から見た場合、リール本体３は、一方向に長く形成されている。リール本体３の説明では、長手方向、短手方向（幅方向）、及び高さ方向という文言が、用いられることがある。
【００４２】
リール本体３（表示部４）を上方から見て、短手方向は、長手方向及び高さ方向に直交する方向である。長手方向及び短手方向は、基準面Ｋ上で定義されている。高さ方向は、長手方向及び短手方向に直交する方向である。
【００４３】
図５に示すように、リール本体３は、メインケース２１（本体部の一例）と、サブケース２３と、フレーム部材２５（図１０を参照）とを、有する。
【００４４】
（メインケース）
メインケース２１は、複数のケース部材を組み立てることによって、形成される。また、図５に示すように、メインケース２１には、スプール収納凹部２２が形成される。スプール収納凹部２２には、スプール７が配置される。スプール収納凹部２２は、メインケース２１において、他の部分より凹んで形成されている。すなわち、スプール収納凹部２２は、メインケース２１の外面を凹状に形成された部分であり、この部分にスプール７が配置される。
【００４５】
図５、及び図６Ａ〜図６Ｃに示すように、メインケース２１は、第１ケース部材２７と、第２ケース部材２９と、蓋部材３０とを、有する。
【００４６】
−第１ケース部材−
図５に示すように、第１ケース部材２７には、表示部４が設けられる。表示部４は、フレーム部材２５に装着される。図６Ａに示すように、第１ケース部材２７は、第１ケース本体２７ａと、スプール収納凹部２２に含まれる第１凹部２７ｂと、上述した長孔部２７ｃとを、有する。
【００４７】
第１凹部２７ｂは、スプール収納凹部２２の壁部を、形成する。第１凹部２７ｂは、第１ケース部材２７の外面によって形成される。詳細には、第１ケース本体２７ａの外面を凹状に形成することによって、第１凹部２７ｂは形成される。
【００４８】
長孔部２７ｃは、第１ケース部材２７及び第２ケース部材２９によって形成される内部空間Ｓから、第１ケース部材２７及び第２ケース部材２９の外側の外部空間Ｇに連通する。
図６Ａでは、符号Ｓの下線を破線にすることによって、内部空間Ｓの部分が表現されている。
【００４９】
詳細には、長孔部２７ｃは、第１ケース本体２７ａ、例えば第１ケース本体２７ａの上部に、設けられる。長孔部２７ｃは、第１ケース本体２７ａの内面から外面に向けて、第１ケース本体２７ａを貫通している。長孔部２７ｃは、第１ケース本体２７ａにおいてスプール軸方向に沿って延びている。長孔部２７ｃには、クラッチ部材１１が挿通される（図１を参照）。クラッチ部材１１の揺動時には、クラッチ部材１１（後述する延長部）が、長孔部２７ｃの内部において、移動する。
【００５０】
−第２ケース部材−
図５に示すように、第２ケース部材２９は、第１ケース部材２７に装着される。ここでは、第２ケース部材２９は、固定部材例えばネジ部材３２によって、第１ケース部材２７に固定される。この状態において、第１ケース部材２７及び第２ケース部材２９によって囲まれた空間が、上記の内部空間Ｓとなる。
【００５１】
図６Ｂに示すように、第２ケース部材２９は、第２ケース本体２９ａと、スプール収納凹部２２に含まれる第２凹部２９ｂと、電源部１９を収容するための電源収容部２９ｃとを、有する。
【００５２】
第２凹部２９ｂは、スプール収納凹部２２の壁部と、スプール収納凹部２２の底部とを、形成する。第２凹部２９ｂは、第２ケース部材２９の外面によって形成される。詳細には、第２ケース本体２９ａの外面を凹状に形成することによって、第２凹部２９ｂは形成される。
【００５３】
電源収容部２９ｃは、第２ケース本体２９ａにおいて、凹状に形成されている。詳細には、電源収容部２９ｃは、長手方向において、一方向に長い凹状に形成されている。
【００５４】
電源収容部２９ｃには、電源部１９が配置される。電源部１９、例えば複数（例えば２個）の電池が、長手方向に並べて配置される。すなわち、複数（例えば２個）の電池が、電源収容部２９ｃにおいて、直列に配置される。
【００５５】
このように電源収容部２９ｃ及び電源部１９を構成することによって、スプール軸５に沿う方向において、リール本体３を小型化することができる。すなわち、第２ケース部材２９の幅（短手方向の長さ）、例えば電源収容部２９ｃが形成される部分の幅を、第１ケース部材２７の幅（短手方向の長さ）より、小さくすることができる。これにより、電動リール１の把持性を向上することができる。
【００５６】
ここで、図５に示すように、電源収容部２９ｃの一部は、蓋部材３０とスプール７との間に配置される。詳細には、電源収容部２９ｃの端部が、蓋部材３０とスプール７との間に配置される。すなわち、電源部１９の一部、例えば電池の端部は、蓋部材３０とスプール７との間に配置される。このように電源収容部２９ｃ及び電源部１９を構成することによって、第２ケース部材２９の全長、すなわちリール本体３の全長（長手方向の長さ）を、小さくすることができる。
【００５７】
−蓋部材−
図５に示すように、蓋部材３０は、電源収容部２９ｃを覆う部材である。蓋部材３０は、電源収容部２９ｃの開口を塞ぐ部材である。図６Ｃに示すように、蓋部材３０は、第２ケース本体２９ａに着脱可能に装着される。蓋部材３０は、蓋本体３０ａと、第１爪部３０ｂと、第２爪部３０ｃとを、有する。蓋本体３０ａは、一方向に長い板状に形成されている。
【００５８】
蓋本体３０ａは、第２ケース本体２９ａ側（電源収容部２９ｃ側）に向けて、アーチ状に形成されている。詳細には、蓋本体３０ａが、長手方向において、第２ケース本体２９ａ側（電源収容部２９ｃ側）に向けて、アーチ状に形成されている。
【００５９】
第１爪部３０ｂは、蓋本体３０ａの一端部に形成され、第２ケース部材２９の前部（電源収容部２９ｃの前部）に設けられた係合凹部（図示しない）に、係合する。第２爪部３０ｃは、蓋本体３０ａの他端部に形成され、第２ケース部材２９の後部（電源収容部２９ｃの後部）に設けられた係合凹部（図示しない）に、弾性的に係合する。
【００６０】
このように蓋部材３０を構成することによって、蓋部材３０を第２ケース本体２９ａに装着すると、アーチ状に形成された蓋本体３０ａの上面３０ｄを、第２ケース本体２９ａの下面２９ｄ（電源収容部２９ｃ側の外面）に確実に接触させることができる。すなわち、蓋部材３０及び第２ケース部材２９の間を確実に接触させることができる。
【００６１】
（サブケース）
図７、及び図８Ａ〜図８Ｃに示すように、サブケース２３は、サブケース本体３１と、スプール軸保持部３３と、釣糸侵入規制部３５と、穂先装着部３７とを、有する。
【００６２】
−サブケース本体−
図７に示すように、サブケース本体３１は、メインケース２１に設けられる。詳細には、サブケース本体３１は、第１ケース部材２７の開口２７ｅ（図６Ａを参照）、及び第２ケース部材２９の開口２９ｅ（図６Ｂを参照）に、配置される。
【００６３】
図８Ａ〜図８Ｃに示すように、サブケース本体３１は、ケース装着部３１ａを有する。ケース装着部３１ａは、固定部材例えばネジ部材によって、第１ケース部材２７の内面に固定される。詳細には、ケース装着部３１ａ例えば孔部にはネジ部材が挿通され、ネジ部材が第１ケース部材２７の内面の雌ネジ部２７ｄ（図６Ａを参照）に螺合される。
【００６４】
−スプール軸保持部−
図７、及び図８Ａ〜図８Ｃに示すように、スプール軸保持部３３は、スプール軸５を保持する部分である。スプール軸保持部３３は、サブケース本体３１に設けられる。詳細には、スプール軸保持部３３は、サブケース本体３１に一体に形成される。
【００６５】
スプール軸保持部３３は、スプール軸５を装着するためのスプール軸用の装着孔３３ａを、有している。スプール軸用の装着孔３３ａには、スプール軸５が固定される。詳細には、スプール軸用の装着孔３３ａには、スプール軸５の一端部が固定される。これにより、スプール軸５の一端部（基端部）はスプール軸保持部３３に固定され、スプール軸５の他端部（先端部）は自由端となる。
【００６６】
−釣糸侵入規制部−
図５に示すように、釣糸侵入規制部３５は、第１フランジ部４９（後述する）の外周部を覆うことによって、メインケース２１及び第１フランジ部４９の間への釣り糸の侵入を規制する。図７に示すように、釣糸侵入規制部３５は、スプール軸保持部３３に設けられる。詳細には、釣糸侵入規制部３５は、スプール軸保持部３３と一体に形成される。
【００６７】
図７、及び図８Ａ〜図８Ｃに示すように、釣糸侵入規制部３５は、カバー部４１と、カバー用の連結部４３とを、有する。
【００６８】
（カバー部）
図５に示すように、カバー部４１は、第１フランジ部４９の外周部を部分的に覆う。カバー部４１は、第１フランジ部４９の外周部に沿うように、形成される。例えば、カバー部４１（後述する第１カバー部４１ａ及び第２カバー部４１ｂ）は、スプール軸５まわりの周方向において、駆動軸５５から１８０度以上且つ３００度未満の範囲内で、第１フランジ部４９の外周部を部分的に覆う。
【００６９】
図７、及び図８Ａ〜図８Ｃに示すように、カバー部４１は、第１カバー部４１ａと、第２カバー部４１ｂとを、有する。第１カバー部４１ａは、スプール軸５に関する径方向において、スプール収納凹部２２の開口側に設けられる。ここでは、スプール収納凹部２２の開口側とは、スプール収納凹部２２の前方及び上方に対応している。
【００７０】
詳細には、第１カバー部４１ａは、スプール軸５の前方において、スプール収納凹部２２の開口側に配置される。第１カバー部４１ａは、穂先装着部３７の上方において、スプール収納凹部２２の開口側に配置される。図８Ａ及び図８Ｃに示すように、第１カバー部４１ａは、円弧状に形成されている。図８Ｂに示すように、第１カバー部４１ａは、カバー用の連結部４３と一体に形成され、スプール軸方向においてカバー用の連結部４３から突出している。
【００７１】
図７、及び図８Ａ〜図８Ｃに示すように、第２カバー部４１ｂは、第１カバー部４１ａからスプール軸５まわりの周方向に延び、且つスプール収納凹部２２と第１フランジ部４９の外周部との間に配置される。詳細には、第２カバー部４１ｂは、周方向において第１カバー部４１ａからスプール収納凹部２２の底部側に延び、スプール収納凹部２２の内部に配置される。
【００７２】
図８Ａ及び図８Ｃに示すように、第２カバー部４１ｂは、円弧状に形成されている。第２カバー部４１ｂは、第１カバー部４１ａと一体に形成され、第１カバー部４１ａから周方向に延びる。第２カバー部４１ｂの端部は、周方向において、駆動軸５５と間隔を隔てて配置される。第２カバー部４１ｂは、カバー用の連結部４３と一体に形成され、スプール軸方向においてカバー用の連結部４３から突出している（図７を参照）。
【００７３】
（カバー用の連結部）
カバー用の連結部４３は、カバー部４１とスプール軸保持部３３とを連結する部分である。図７、及び図８Ａ〜図８Ｃに示すように、カバー用の連結部４３は、カバー部４１及びスプール軸保持部３３と一体に形成されている。カバー用の連結部４３の外周部は、円弧状に形成されている。カバー用の連結部４３の外周部には、第１カバー部４１ａ及び第２カバー部４１ｂが一体に形成されている。
【００７４】
図３に示すように、カバー用の連結部４３は、スプール軸方向（スプール軸５に関する軸方向）において、スプール収納凹部２２及び第１フランジ部４９との間に配置される。詳細には、カバー用の連結部４３の内周部が、スプール軸方向において、スプール収納凹部２２の壁部２２ａ及び第１フランジ部４９との間に、配置される。
【００７５】
−穂先装着部−
穂先装着部３７には、穂先竿Ｒが着脱可能に装着される。図７、及び図８Ａ〜図８Ｃに示すように、穂先装着部３７は、サブケース本体３１に設けられる。詳細には、穂先装着部３７は、筒状に形成され、サブケース本体３１から突出している。穂先装着部３７及び穂先竿Ｒの基端部外周には、釣り糸のストッパが接触するストッパガイド（図示しない）が、着脱可能に装着される。
【００７６】
（フレーム部材）
図９に示すように、フレーム部材２５は、第１ケース部材２７に装着される。詳細には、フレーム部材２５は、固定手段例えばネジ部材２６によって、第１ケース部材２７に固定される。
【００７７】
フレーム部材２５には、モータ９が、第１揺動軸心Ｋ１まわりに揺動可能に装着される。具体的には、フレーム部材２５には、モータ９を保持する保持部材４５が、第１揺動軸心Ｋ１まわりに揺動可能に取り付けられる。すなわち、フレーム部材２５には、保持部材４５を介して、モータ９が揺動可能に装着される。
【００７８】
図９及び図１０に示すように、フレーム部材２５は、第１突出部２５ａと、係止溝部２５ｂと、第１揺動軸部２５ｃとを、有する。第１突出部２５ａには、第２付勢部材１７が取り付けられる。第１突出部２５ａは、フレーム部材２５から第２ケース部材２９に向かって、突出している。第１突出部２５ａは、円柱状に形成されている。
【００７９】
第１突出部２５ａの外周部には、第２付勢部材１７のコイル部例えば捩りバネの第２コイル部１７ａが、取り付けられる。係止溝部２５ｂには、第２付勢部材１７の第３アーム部１７ｂが、係止される。ここで、第２付勢部材１７の第４アーム部１７ｃは、保持部材４５に設けられた爪部４５ａに、係止される。
【００８０】
第１揺動軸部２５ｃには、保持部材４５が揺動可能に取り付けられる。第１揺動軸部２５ｃは、フレーム部材２５から第２ケース部材２９に向かって、突出している。第１揺動軸部２５ｃは、円筒状に形成されている。第１揺動軸部２５ｃの外周部には、保持部材４５の孔部４５ｂが配置される。第１揺動軸部２５ｃの内周部には、保持部材４５を抜け止めするための抜け止め部材、例えばネジ部材２８が、ネジ込まれる。第１揺動軸部２５ｃの軸心は、第１揺動軸心Ｋ１に対応している。
【００８１】
また、図１０及び図１１Ａに示すように、フレーム部材２５には、クラッチ部材１１が、第２揺動軸心Ｋ２まわりに揺動可能に装着される。フレーム部材２５は、第２突出部２５ｄと、第３係合凹部２５ｅと、第２揺動軸部２５ｆとを、有する。
【００８２】
第２突出部２５ｄには、第１付勢部材１５が取り付けられる。第２突出部２５ｄは、フレーム部材２５の前壁に設けられている。第２突出部２５ｄは、フレーム部材２５からスプール７側に、突出している。第２突出部２５ｄは、円柱状に形成されている。
【００８３】
第２突出部２５ｄの外周部には、第１付勢部材１５のコイル部例えば捩りバネの第１コイル部１５ａが、取り付けられる。第３係合凹部２５ｅには、第１付勢部材１５の第１アーム部１５ｂが、係止される。ここで、第１付勢部材１５の第２アーム部１５ｃは、クラッチ部材１１に設けられた係止孔６４（後述する）に、係止される。
【００８４】
第２揺動軸部２５ｆには、クラッチ部材１１が揺動可能に取り付けられる。第２揺動軸部２５ｆは、フレーム部材２５の前壁に設けられている。第２揺動軸部２５ｆは、フレーム部材２５からスプール７側に、突出している。第２揺動軸部２５ｆは、円筒状に形成されている。
【００８５】
第２揺動軸部２５ｆの外周部には、クラッチ部材１１の第１孔部５７ａ（後述する）が、配置される。第２揺動軸部２５ｆの内周部には、クラッチ部材１１を抜け止めするための抜け止め部材、例えばネジ部材が、ネジ込まれる。第２揺動軸部２５ｆの軸心は、第２揺動軸心Ｋ２に対応している。
【００８６】
＜スプール軸＞
図７に示すように、スプール軸５は、リール本体３に、装着される。スプール軸５は、水平にリール本体３に装着される。詳細には、スプール軸５は、水平且つ釣り糸の繰り出し方向に垂直に、リール本体３に装着される。ここで、「“水平”とは、重力の方向と直角をなすこと」という意味を有している。また、「“水平”とは、重力の方向と直角をなす方向」という意味も含んでいる。
【００８７】
なお、電動リール１が使用される際に台上等に載置された状態において、スプール軸５は、実質的に水平又は水平に近い状態でリール本体３に装着されていればよく、釣り人が把持している状態において、スプール軸５が正確な水平を保つことを意味するものではない。
【００８８】
例えば、スプール軸５は、サブケース２３のスプール軸保持部３３に、装着される。上述したように、スプール軸５は、スプール軸保持部３３におけるスプール軸用の装着孔３３ａに、固定される。これにより、スプール軸５の基端部がスプール軸保持部３３に固定された状態で、スプール軸５は、片持ち形式の支持形態でスプール軸保持部３３に支持される。
【００８９】
＜スプール＞
図１に示すように、スプール７は、リール本体３の前部に配置され、釣り糸を巻き取る。スプール７は、リール本体３のスプール収納凹部２２に配置される。スプール７は、スプール軸５に対して回転可能に支持される。図４に示すように、スプール７は、第１回転軸心Ｊ１まわりに回転可能なように、スプール軸５に支持される。
【００９０】
詳細には、スプール７がスプール収納凹部２２に配置され、且つスプール７が第１軸受４６ａ及び第２軸受４６ｂ（後述する；図１３を参照）を介してスプール軸５に支持された状態において、固定部材例えばナット部材３４（図７を参照）が、スプール軸５に取り付けられる。これにより、スプール７は、スプール軸５に装着される。
【００９１】
図１２に示すように、スプール７は、糸巻き胴部４７と、第１フランジ部４９と、第２フランジ部５１とを、有する。
【００９２】
（糸巻き胴部）
糸巻き胴部４７は筒状に形成され、糸巻き胴部４７の外周には釣り糸が巻き付けられる。糸巻き胴部４７の内周部（孔部）には、スプール軸５が挿通される。
【００９３】
詳細には、図１３に示すように、糸巻き胴部４７の内周部には、第１軸受４６ａ及び第２軸受４６ｂが配置される。第１軸受４６ａ及び第２軸受４６ｂの軸方向間には、筒状部材４６ｃが配置される。筒状部材４６ｃは、第１軸受４６ａ及び第２軸受４６ｂのスペーサとして機能する。
【００９４】
第１軸受４６ａ及び第２軸受４６ｂそれぞれは、外輪と、内輪と、外輪及び内輪の間に配置される転動体とを、有する。第１軸受４６ａの外輪及び第２軸受４６ｂの外輪は、糸巻き胴部４７の内周面に圧入固定されている。第１軸受４６ａの内輪及び第２軸受４６ｂの内輪は、スプール軸５に装着されている。これら第１軸受４６ａ及び第２軸受４６ｂを介して、スプール７は、スプール軸５まわりに回転可能である。
【００９５】
ここで、糸巻き胴部４７の内周部における第２フランジ部５１側には、キャップ部材５２が装着される。キャップ部材５２は、糸止め部材１３を第２フランジ部５１に装着するために用いられる。
【００９６】
キャップ部材５２は、円環部５２ａと、鍔部５２ｂとを、有する。円環部５２ａは、実質的に環状に形成されている。円環部５２ａは、糸巻き胴部４７の内周部に圧入される。鍔部５２ｂは、円環部５２ａの外周部に一体に形成される。鍔部５２ｂは、スプール軸方向において、第２フランジ部５１と対向して配置される。
【００９７】
ここで、糸巻き胴部４７の内周部における第２フランジ部５１側には、第１段差部４７ａが形成されている。第１段差部４７ａにおける径方向内側には、第２軸受４６ｂが部分的に突出している。第１段差部４７ａの径方向外側には、環状の第２段差部４７ｂが形成されている。
【００９８】
第２段差部４７ｂには、糸止め用の装着部６７（後述する；図１４を参照）が、配置される。この状態において、キャップ部材５２の円環部５２ａが、第１段差部４７ａ及び第２軸受４６ｂの径方向間に圧入される。すると、糸止め用の装着部６７が、キャップ部材５２の鍔部５２ｂと第２段差部４７ｂとの間に、配置される。このようにして、糸止め部材１３が、第２フランジ部５１に取り付けられる。
【００９９】
なお、糸巻き胴部４７の内周部における第２フランジ部５１側は、第２フランジ部５１の内周側と解釈してもよい。
【０１００】
（第１フランジ部）
図１２に示すように、第１フランジ部４９は、糸巻き胴部４７の一端部において、径方向外方に突出して設けられている。第１フランジ部４９は、実質的に円環板状に形成され、糸巻き胴部４７の一端部に一体に形成されている。
【０１０１】
図４に示すように、第１フランジ部４９は、第２回転軸心Ｊ２及び第２揺動軸心Ｋ２の間に、配置される。例えば、第１フランジ部４９は、駆動軸５５と、フレーム部材２５の第２揺動軸部２５ｆとの間に、配置される。
【０１０２】
図５に示すように、第１フランジ部４９は、カバー部４１によって部分的に覆われる。第１フランジ部４９は、スプール軸５に関する径方向において、リール本体３の外面から部分的に突出している。
【０１０３】
詳細には、第１フランジ部４９においてカバー部４１に覆われていない部分が、スプール軸５に関する径方向において、リール本体３の外面から部分的に突出している。言い換えると、電動リール１の外側から電動リール１をスプール軸方向に見た場合、第１フランジ部４９においてカバー部４１に覆われていない部分が、リール本体３の外面から部分的に突出している。
【０１０４】
図５に示すように、第１フランジ部４９は、カバー部４１に覆われる第１外周部４９ａと、カバー部４１に覆われていない第２外周部４９ｂとを、有している。
【０１０５】
第１外周部４９ａは、径方向においてカバー部４１（第１カバー部４１ａ及び第２カバー部４１ｂ）に対向する部分である。言い換えると、第１外周部４９ａの径方向外側には、カバー部４１が配置されている。ここでは、スプール７の回転時及びスプール７の未回転時（静止時）において、径方向においてカバー部４１に対向する部分を、第１外周部４９ａと定義している。
【０１０６】
第２外周部４９ｂは、径方向においてカバー部４１（第１カバー部４１ａ及び第２カバー部４１ｂ）に対向していない部分である。第２外周部４９ｂの径方向外側には、カバー部４１が配置されていない。ここでは、スプール７の回転時及びスプール７の未回転時（静止時）において、径方向においてカバー部４１に対向していない部分、例えば露出した部分を、第２外周部４９ｂと定義する。第２外周部４９ｂは、径方向においてリール本体３の外面から部分的に突出している。
【０１０７】
（第２フランジ部）
図１２に示すように、第２フランジ部５１は、糸巻き胴部４７の他端部において、径方向外方に突出して設けられている。図１２及び図１３に示すように、第２フランジ部５１は、第２フランジ本体５１ａと、複数（例えば３個）の第３凹部５１ｂと、複数（例えば３個）の第１溝部５１ｃとを、有する。
【０１０８】
第２フランジ本体５１ａは、実質的に円環板状に形成され、糸巻き胴部４７の他端部に一体に形成されている。複数の第３凹部５１ｂそれぞれには、糸止め用の係止部６５（後述する）が配置される。各第３凹部５１ｂは、第２フランジ本体５１ａの外周部に設けられる。詳細には、各第３凹部５１ｂは、周方向に互いに間隔を隔てて、第２フランジ本体５１ａの外周部に形成されている。各第３凹部５１ｂは、スプール軸方向及び径方向に開口している。
【０１０９】
複数の第１溝部５１ｃそれぞれには、糸止め用の連結部６９（後述する）が配置される。各第１溝部５１ｃは、径方向において、第２フランジ本体５１ａの外側面に沿って形成されている。詳細には、各第１溝部５１ｃは、径方向において、糸巻き胴部４７の内周部から各第３凹部５１ｂに向けて延びている。より詳細には、各第１溝部５１ｃは、径方向において、第２段差部４７ｂから各第３凹部５１ｂに向けて延びている。
【０１１０】
＜モータ＞
モータ９は、リール本体３の内部に配置され、スプール７を回転させる。モータ９駆動のオンオフは、リール本体３の右側部及び左側部に配置された１対の第１スイッチ３ａ（図１を参照）によって、行われる。モータ９のモード切り換えは、表示部４に設けられた１対の第２スイッチ４ａ（図１を参照）によって、行われる。
【０１１１】
図９に示すように、モータ９は、リール本体３例えばフレーム部材２５に対して、揺動可能に装着される。詳細には、モータ９は、第１揺動軸心Ｋ１まわりに揺動可能に、フレーム部材２５に装着される。第１揺動軸心Ｋ１は、フレーム部材２５から第２ケース部材２９に向かって、延びている。
【０１１２】
図４に示すように、モータ９は、モータ本体５３と、駆動軸５５とを、有する。モータ本体５３は、電源部１９から電力の供給を受けることによって、動作する。モータ本体５３は、モータ９の第１揺動軸心Ｋ１と、スプール７の第１回転軸心Ｊ１との間に、配置されている。モータ本体５３は、保持部材４５に保持されている（図９を参照）。上述したように、モータ本体５３は、保持部材４５を介して、フレーム部材２５の第１揺動軸部２５ｃに対して、揺動可能に取り付けられる。
【０１１３】
駆動軸５５は、モータ本体５３に設けられ、モータ本体５３の動作によって回転する。駆動軸５５は、第２回転軸心Ｊ２まわりに回転する。駆動軸５５は、スプール７に接触することによって、スプール７を回転させる。駆動軸５５は、クラッチ部材１１の揺動に連動してモータ本体５３が揺動すると、スプール７から離反する。
【０１１４】
駆動軸５５は、第１フランジ部４９に接触可能に配置される。駆動軸５５は、モータ本体５３からスプール軸５側に延びている。ここでは、駆動軸５５が、フレーム部材２５に設けられた貫通孔２５ｇ（図１１Ａを参照）に、挿通される。駆動軸５５は、貫通孔２５ｇの内部において揺動可能である。
【０１１５】
駆動軸５５の先端部は、第１フランジ部４９に接触可能に配置される。例えば、図７及び図８Ａに示すように、駆動軸５５の先端部は、第１フランジ部４９及びサブケース２３の軸方向間に、配置される。また、図７に示すように、駆動軸５５は、周方向において、第２カバー部４１ｂの端部と間隔を隔てて配置される。
【０１１６】
駆動軸５５の先端部が第１フランジ部４９に接触すると、駆動軸５５の回転がスプール７に伝達され、スプール７が回転する。一方で、クラッチ部材１１によって駆動軸５５が押圧されると、駆動軸５５の先端部が第１フランジ部４９から離反する。すると、駆動軸５５の回転はスプール７に伝達されなくなり、スプール７の回転が停止する。
【０１１７】
＜クラッチ部材＞
クラッチ部材１１は、モータ９からスプール７への回転の伝達をオンオフするために、用いられる。
【０１１８】
図１１Ａに示すように、クラッチ部材１１は、第２揺動軸心Ｋ２まわりに揺動可能なように、リール本体３に装着される。図４に示すように、第２揺動軸心Ｋ２は、第１回転軸心Ｊ１に垂直な方向視において、第２回転軸心Ｊ２と間隔を隔てて配置される。“第１回転軸心Ｊ１に垂直な方向視”とは、“第１回転軸心Ｊ１に垂直な方向において、リール本体３の外側からリール本体３を見た場合”という意味を、含んでいる。また、ここに記載された内容は、“第１回転軸心Ｊ１に沿う方向（スプール軸方向）において、第２揺動軸心Ｋ２は第２回転軸心Ｊ２と間隔を隔てて配置される”と、解釈してもよい。
【０１１９】
この配置において、図１１Ｂに示すように、第２揺動軸心Ｋ２と第２回転軸心Ｊ２との間において、クラッチ部材１１は駆動軸５５を押圧する。これにより、クラッチ部材１１は、駆動軸５５をスプール７から離反させる。一方で、図１１Ｃに示すように、駆動軸５５に対するクラッチ部材１１の押圧が解除されると、駆動軸５５がスプール７（第１フランジ部４９）に接触しスプール７を回転させる。
【０１２０】
ここでは、駆動軸５５を第１フランジ部４９から離反させるために、クラッチ部材１１が駆動軸５５を押圧している姿勢を、第１姿勢と記す。第１姿勢は、図１１Ｂに示す姿勢である。一方で、駆動軸５５が第１フランジ部４９に接触し、且つクラッチ部材１１が駆動軸５５から離反した姿勢を、第２姿勢と記す。第２姿勢は、図１１Ｃに示す姿勢である。
【０１２１】
第１姿勢では、クラッチ部材１１がユーザによって揺動操作されている。第２姿勢では、クラッチ部材１１に対するユーザの操作が解除されている。第１姿勢から第２姿勢への姿勢の変更、すなわち第１姿勢から第２姿勢へのクラッチ部材１１の揺動は、第１付勢部材１５によって補助される。第２姿勢から第１姿勢への姿勢の変更、すなわち第２姿勢から第１姿勢へのクラッチ部材１１の揺動は、ユーザ操作によって行われる。
【０１２２】
図１１Ａ〜図１１Ｃに示すように、クラッチ部材１１は、リール本体３に揺動可能に装着されるクラッチ用の装着部５７と、クラッチ用の装着部５７に設けられる押圧部５９とを、有する。また、クラッチ部材１１は、クラッチ用の装着部５７から外方に延びる延長部６１と、延長部６１に設けられる内蓋部６３とを、さらに有する。さらに、クラッチ部材１１は、第１付勢部材１５に係合する係止孔６４を、さらに有する。
【０１２３】
図１１Ａに示すように、クラッチ用の装着部５７は、第１孔部５７ａと、第２孔部５７ｂとを、有している。第１孔部５７ａには、フレーム部材２５の第２揺動軸部２５ｆが挿通される。第２孔部５７ｂは、第１孔部５７ａより大径に形成されている。
【０１２４】
ここで、クラッチ部材１１を抜け止めするための抜け止め部材、例えばネジ部材５８が、第２揺動軸部２５ｆの内周部にネジ込まれる。この状態において、ネジ部材の頭部が、第２孔部５７ｂの底部に対向して配置される。詳細には、ネジ部材の頭部が、ワッシャ部材を介して、第２孔部５７ｂの底部に対向して配置される。このようにして、クラッチ用の装着部５７は、第２揺動軸部２５ｆまわりに揺動可能に装着される。
【０１２５】
押圧部５９は、駆動軸５５を押圧する部分である。押圧部５９は、第２揺動軸心Ｋ２と第２回転軸心Ｊ２との間において、駆動軸５５を押圧する。押圧部５９は、クラッチ用の装着部５７の外周から外方に突出するように、クラッチ用の装着部５７に一体に形成されている。押圧部５９は、第２揺動軸心Ｋ２と第２回転軸心Ｊ２との間において駆動軸５５に接触可能なように、クラッチ用の装着部５７に一体に形成されている。例えば、第１姿勢では、押圧部５９は、第２揺動軸心Ｋ２と第２回転軸心Ｊ２との間において駆動軸５５に接触し、駆動軸５５を押圧する。第２姿勢では、押圧部５９は、駆動軸５５に対する押圧を解除する。
【０１２６】
図１及び図１１Ａに示すように、延長部６１は、内部空間Ｓに配置されるクラッチ用の装着部５７から、外部空間Ｇに向けて延びる部分である。延長部６１は、第１ケース部材２７（第１ケース本体２７ａ）に設けられた長孔部２７ｃに、挿通される。延長部６１の先端部は、外部空間Ｇに配置される。外部空間Ｇに配置された延長部６１の先端部は、ユーザによって操作可能な操作部として、機能する。
【０１２７】
内蓋部６３は、長孔部２７ｃを塞ぐために用いられる。内蓋部６３は、長孔部２７ｃ及びクラッチ用の装着部５７の間において、長孔部２７ｃを塞ぐように、延長部６１に設けられる。例えば、内蓋部６３は、長孔部２７ｃに沿うように、延長部６１に一体に形成されている。内蓋部６３は、内部空間Ｓに配置される。より詳細には、クラッチ部材１１が揺動したとしても、内蓋部６３は、長孔部２７ｃを内部空間Ｓ側から塞ぐことができるように、長孔部２７ｃに沿って延長部６１から延びている。
【０１２８】
図１１Ａに示すように、係止孔６４には、第１付勢部材１５が係合する。係止孔６４は、押圧部５９に設けられている。詳細には、係止孔６４は、第２揺動軸心Ｋ２に沿う方向に、押圧部５９を貫通している。係止孔６４には、第１付勢部材１５の第２アーム部１５ｃ（後述する）が、係止される。
【０１２９】
＜糸止め部材＞
各糸止め部材１３は、釣り糸を係止するために用いられる。図１４に示すように、各糸止め部材１３は、１本の線材部材を折り曲げることによって、形成される。
【０１３０】
図１３に示すように、各糸止め部材１３は、スプール軸５に関する軸方向において、第２フランジ部５１の外側面より内側に配置される。詳細には、各糸止め部材１３は、糸巻き胴部４７側に折り曲げることによって、スプール軸方向において第２フランジ部５１の外側面より内側に配置される。また、各糸止め部材１３は、スプール軸５に関する径方向において、第２フランジ部５１の外周面より内側に配置される。
【０１３１】
図１３及び図１４に示すように、各糸止め部材１３は、糸止め用の係止部６５と、糸止め用の装着部６７と、糸止め用の連結部６９とを、有する。糸止め用の係止部６５は、釣り糸を係止する部分である。糸止め用の係止部６５は、第２フランジ部５１の外側から釣り糸を係止できるように、鈎状に形成されている。
【０１３２】
糸止め用の係止部６５は、第２フランジ部５１の各第３凹部５１ｂに配置される（図１３を参照）。また、糸止め用の係止部６５の基端部、すなわち糸止め用の係止部６５が糸止め用の連結部６９に接続される部分Ｃ（接続部）は、各第１溝部５１ｃに配置される。
【０１３３】
糸止め用の係止部６５及び糸止め用の連結部６９の接続部Ｃは、糸止め部材１３が折り曲げられる部分である。この接続部Ｃにおいて、糸止め用の係止部６５は、糸巻き胴部４７側に折り曲げられている。
【０１３４】
糸止め用の係止部６５の一部は、スプール軸方向において、第２フランジ部５１の内側面より糸巻き胴部４７側に、配置される。また、糸止め用の係止部６５の一部は、スプール軸方向において、第１溝部５１ｃより糸巻き胴部４７側に配置される。
【０１３５】
ここでは、糸止め用の係止部６５において鈎状に形成された部分における湾曲部６５ａが、第２フランジ部５１の内側面より糸巻き胴部４７側に、配置される。また、湾曲部６５ａは、第１溝部５１ｃより糸巻き胴部４７側に配置される。
【０１３６】
湾曲部６５ａを除いた部分は、各第３凹部５１ｂの内部に配置される。特に、糸止め用の係止部６５において鈎状に形成された部分の先端部６５ｂは、各第３凹部５１ｂの内部に配置される。
【０１３７】
糸止め用の装着部６７は、スプール７に装着される。糸止め用の装着部６７は、糸止め部材１３の抜け止めとして機能する。例えば、糸止め用の装着部６７は、実質的に円弧状に形成されている。糸止め用の装着部６７は、第２フランジ部５１の内周側に設けられた環状の第２段差部４７ｂに、配置される。この状態において、上述したように、キャップ部材５２の円環部５２ａを、第２フランジ部５１の内周側に設けられた第１段差部４７ａに、装着することによって、糸止め用の装着部６７は、キャップ部材５２の鍔部５２ｂとスプール７の第２段差部４７ｂとの間に、装着される。
【０１３８】
糸止め用の連結部６９は、糸止め用の装着部６７及び糸止め用の係止部６５を連結する部分である。糸止め用の連結部６９は、一方向に長い２本の線材によって形成されている。糸止め用の連結部６９は、第２フランジ部５１の各第１溝部５１ｃに配置される。糸止め用の連結部６９の径方向外側の端部、すなわち上述した接続部Ｃ（折曲部）は、第１溝部５１ｃの内部に配置される。すなわち、糸止め用の連結部６９及び糸止め用の係止部６５は、第１溝部５１ｃの内部において接続される。
【０１３９】
このような構成を有する各糸止め部材１３は、糸止め用の装着部６７を、キャップ部材５２によって、第２フランジ部５１の内周側に設けられた第２段差部４７ｂに装着することによって、スプール７に装着される。
【０１４０】
上記のように、糸止め部材１３を構成し、第２フランジ部５１に装着することによって、電動リール１が操作されている際に、釣り糸が第２フランジ部５１の外側に配置されるようなことがあっても、釣り糸が係止部６５に引っ掛かることを、防止することができる。
【０１４１】
＜第１付勢部材＞
第１付勢部材１５は、クラッチ部材１１を駆動軸５５から離反させる。第１付勢部材１５は、クラッチ部材１１を駆動軸５５から離れる方向に付勢する。詳細には、駆動軸５５に対するクラッチ部材１１の押圧が解除されると、第１付勢部材１５は、クラッチ部材１１を駆動軸５５から離れる方向に付勢する。
【０１４２】
図１１Ａに示すように、第１付勢部材１５は、第１ケース部材２７に固定されるフレーム部材２５と、クラッチ部材１１とに、係合する。第１付勢部材１５は、例えば捩りバネである。
【０１４３】
第１付勢部材１５は、第１コイル部１５ａと、第１アーム部１５ｂと、第２アーム部１５ｃとを、有する。フレーム部材２５において説明したように、第１コイル部１５ａは、フレーム部材２５の第２突出部２５ｄの外周部に配置される。第１アーム部１５ｂは、フレーム部材２５の第３係合凹部２５ｅに係止される。第２アーム部１５ｃは、第１付勢部材１５の第１コイル部１５ａが捩られた状態で、クラッチ部材１１の係止孔６４に、係止される。
【０１４４】
このように、第１付勢部材１５をクラッチ部材１１及びフレーム部材２５に係合させることによって、駆動軸５５に対するクラッチ部材１１の押圧が解除されると、クラッチ部材１１は、第１付勢部材１５によって、フレーム部材２５に対して第２揺動軸心Ｋ２まわりに揺動する。これにより、クラッチ部材１１の姿勢は、第１姿勢から第２姿勢へと変更される。
【０１４５】
＜第２付勢部材＞
第２付勢部材１７は、駆動軸５５をスプール７に接近させる。第２付勢部材１７は、駆動軸５５がスプール７に接近するように、モータ９を付勢する。詳細には、駆動軸５５に対するクラッチ部材１１の押圧が解除されると、第２付勢部材１７は、駆動軸５５がスプール７（第１フランジ部４９）に接近するように、モータ本体５３を付勢する。
【０１４６】
図９に示すように、第２付勢部材１７は、第２コイル部１７ａと、第３アーム部１７ｂと、第４アーム部１７ｃとを、有する。フレーム部材２５において説明したように、第２コイル部１７ａは、フレーム部材２５の第１突出部２５ａの外周部に、配置される。第３アーム部１７ｂは、フレーム部材２５の係止溝部２５ｂに、係止される。第４アーム部１７ｃは、保持部材４５の爪部４５ａに、係止される。
【０１４７】
このように、第２付勢部材１７を保持部材４５及びフレーム部材２５に係合させることによって、駆動軸５５に対するクラッチ部材１１の押圧が解除されると、モータ９は、第２付勢部材１７によって、フレーム部材２５に対して第１揺動軸心Ｋ１まわりに揺動する。これにより、モータ９の駆動軸５５は、スプール７の第１フランジ部４９に接触し、スプール７は回転する。
【０１４８】
〔変形例１〕
変形例１では、糸止め部材１１３の形状が、前記実施形態とは実質的に異なっている。このため、変形例１では、前記実施形態とは異なる構成について説明し、その他の構成については説明を省略する。なお、前記実施形態と同じ構成については、前記実施形態と同じ符号を付している。
【０１４９】
糸止め部材１１３の係止部１６５は、図１５に示すように形成してもよい。この場合、糸止め用の係止部１６５における先端部１６５ｂが、第２フランジ部５１の外側面と実質的に平行になるように、形成される。このように係止部１６５の先端部１６５ｂを形成することによって、電動リール１が動作している際に、釣り糸が第２フランジ部５１の外側に配置されるようなことがあっても、釣り糸が係止部１６５に引っ掛かることを、確実に防止することができる。
【０１５０】
〔第２実施形態〕
第２実施形態では、図１６〜図１９に示すように、糸止め部材２１３の形状及びスプール１１７の形状が、前記実施形態とは実質的に異なっている。このため、第２実施形態では、前記第１実施形態とは異なる構成について説明し、その他の構成については説明を省略する。なお、前記実施形態と同じ構成については、前記実施形態と同じ符号を付している。
【０１５１】
第２実施形態の糸止め部材２１３の形状は、前記実施形態と異なる。各糸止め部材２１３は、釣り糸を係止するために用いられる。
【０１５２】
図１９に示すように、各糸止め部材２１３は、１本の線材部材を折り曲げることによって、形成される。各糸止め部材２１３は、糸止め用の係止部２６５と、糸止め用の装着部２６７と、糸止め用の連結部２６９とを、有する。糸止め用の係止部２６５は、第４フランジ部１５２（後述する）の外側から釣り糸を係止できるように、鈎状に形成されている。
【０１５３】
図１７に示すように、糸止め用の係止部２６５の一部、例えば糸止め用の係止部２６５において鈎状に形成された部分の湾曲部２６５ａは、径方向において、第３フランジ部１５１（後述する）の外周面より外方に配置されている。また、湾曲部２６５ａは、スプール軸方向において、第４フランジ部１５２の内側面より糸巻き胴部４７側に、配置される。
【０１５４】
糸止め用の装着部６７は、糸止め部材２１３をスプール１１７に係合させることによって、糸止め部材１３の抜け止めとして機能する。図１９に示すように、糸止め用の装着部２６７は、実質的に直線状に形成されている。図１７に示すように、糸止め用の装着部２６７は、スプール１１７の環状溝部１５１ｄ（後述する）に、配置される。なお、ここでは、糸止め用の装着部２６７が実質的に直線状に形成される場合の例を示した、糸止め用の装着部２６７は、第１実施形態と同様に、湾曲していてもよい。
【０１５５】
図１９に示すように、糸止め用の連結部２６９は、糸止め用の装着部２６７及び糸止め用の係止部２６５を連結する部分である。糸止め用の連結部２６９は、実質的に直線状に形成されている。図１７に示すように、糸止め用の連結部２６９は、スプール１１７の各第２溝部１５１ｃ（後述する）に配置される。
【０１５６】
図１６〜図１８に示すように、第２実施形態のスプール１１７は、傾斜面１５２ｃを、さらに有する。詳細には、第２フランジ部５１は、傾斜面１５２ｃを、さらに有する。この構成を実現するために、第２実施形態のスプール１１７は、以下のように構成されている。
【０１５７】
第１フランジ部４９は、前記実施形態の構成と実質的に同じである。ここでは、第２フランジ部５１は、第３フランジ部１５１と、第４フランジ部１５２とから、構成される。
【０１５８】
図１７に示すように、第３フランジ部１５１は、糸巻き胴部４７の他端部において、径方向外方に突出して設けられている。第３フランジ部１５１は、第３フランジ本体１５１ａと、複数（例えば３個）の第４凹部１５１ｂと、複数（例えば３個）の第２溝部１５１ｃと、複数（例えば３個）の環状溝部１５１ｄとを、有する。
【０１５９】
第３フランジ本体１５１ａは、実質的に円環板状に形成され、糸巻き胴部４７の他端部に一体に形成されている。複数の第４凹部１５１ｂそれぞれには、糸止め用の係止部２６５が部分的に配置される。各第４凹部１５１ｂは、第３フランジ本体１５１ａの外周部に設けられる。詳細には、各第４凹部１５１ｂは、周方向に互いに間隔を隔てて、第３フランジ本体１５１ａの外周部に形成されている。各第４凹部１５１ｂは、スプール軸方向及び径方向に開口している。
【０１６０】
複数の第２溝部１５１ｃそれぞれには、糸止め用の連結部２６９が配置される。各第２溝部１５１ｃは、径方向において、第３フランジ本体１５１ａの外側面に形成されている。詳細には、各第２溝部１５１ｃは、径方向において、糸巻き胴部４７の内周部側から各第４凹部１５１ｂに向けて延びている。
【０１６１】
複数の環状溝部１５１ｄそれぞれには、糸止め用の装着部２６７が配置される。各環状溝部１５１ｄは、第３フランジ本体１５１ａの外側面（第４フランジ本体１５２ａに対向する面）に形成されている。詳細には、各環状溝部１５１ｄは、各第２溝部１５１ｃの径方向内側端に設けられている。各環状溝部１５１ｄは、周方向に隣接する第２溝部１５１ｃを連結するように、第３フランジ本体１５１ａの外側面に形成されている。
【０１６２】
第４フランジ部１５２は、第３フランジ部１５１に装着される。ここでは、第４フランジ部１５２は、固定手段例えば接着剤によって、第３フランジ部１５１に固定される。詳細には、糸止め用の連結部２６９が各第２溝部１５１ｃに配置され、糸止め用の装着部２６７が各環状溝部１５１ｄに配置される。この状態において、上述したように、第４フランジ部１５２は、第３フランジ部１５１に固定される。これにより、各糸止め部材１３は、第３フランジ部１５１及び第４フランジ部１５２によって、挟持される。
【０１６３】
図１６及び図１７に示すように、第４フランジ部１５２は、第４フランジ本体１５２ａと、複数（例えば３個）の第５凹部１５２ｂと、複数（例えば３個）の傾斜面１５２ｃとを、有する。第４フランジ本体１５２ａは、実質的に円環状に形成されている。
【０１６４】
複数の第５凹部１５２ｂそれぞれは、スプール軸方向において、各第４凹部１５１ｂと対向して配置される。各第５凹部１５２ｂ及び各第４凹部１５１ｂは、前記実施形態における各第３凹部５１ｂに対応している。
【０１６５】
各第５凹部１５２ｂには、糸止め用の係止部２６５が部分的に配置される。各第５凹部１５２ｂは、第４フランジ本体１５２ａの外周部に設けられる。詳細には、各第５凹部１５２ｂは、周方向に互いに間隔を隔てて、第４フランジ本体１５２ａの外周部に形成されている。各第５凹部１５２ｂは、スプール軸方向及び径方向に開口している。
【０１６６】
図１６〜図１８に示すように、複数の傾斜面１５２ｃそれぞれは、第４フランジ本体１５２ａの外側面１５２ｓ及び各第５凹部１５２ｂの間において、各第５凹部１５２ｂと連続的に設けられる。例えば、図１６及び図１８に示すように、スプール１１７を外側から見た場合に、各傾斜面１５２ｃは、各第５凹部１５２ｂの周囲を囲むように、第４フランジ本体１５２ａの外側面１５２ｓ及び各第５凹部１５２ｂの壁部を連結している。
【０１６７】
各傾斜面１５２ｃは、図１７に示すように、スプール軸方向において、第４フランジ本体１５２ａの外側面１５２ｓ及び各第５凹部１５２ｂの壁部の間に、設けられる。各傾斜面１５２ｃは、スプール軸方向において、第４フランジ本体１５２ａの外側面１５２ｓ及び糸止め用の係止部２６５の間に、設けられる。
【０１６８】
図１７に示すように、スプール１１７の第１回転軸心Ｊ１を含み及び各第５凹部１５２ｂの底部を通過する断面において、各傾斜面１５２ｃは、実質的に三角形状に形成されている。各傾斜面１５２ｃは、各第５凹部１５２ｂの縁部に沿った底辺と、第４フランジ本体１５２ａの外側面１５２ｓの縁部に沿った２つの斜辺とから、構成される。各傾斜面１５２ｃの頂点Ｔは、第３フランジ本体１５１ａから離れるスプール軸方向において、糸止め用の係止部２６５の外側に設けられる。
【０１６９】
図１６〜図１８に示すように、各傾斜面１５２ｃ、及び第４フランジ本体１５２ａの外側面１５２ｓの境界を形成する第１隅角部１５２ｄは、スプール軸方向において、糸止め用の係止部２６５の外側に設けられる。詳細には、第１隅角部１５２ｄは、第３フランジ本体１５１ａから離れるスプール軸方向において、糸止め用の係止部２６５の外側に設けられる。
【０１７０】
各傾斜面１５２ｃ、及び各第５凹部１５２ｂの壁部の境界を形成する第２隅角部１５２ｅは、スプール軸方向において、糸止め用の係止部２６５の外側に設けられる。詳細には、第２隅角部１５２ｅは、第３フランジ本体１５１ａから離れるスプール軸方向において、糸止め用の係止部２６５の外側に設けられる。傾斜面１５２ｃ、第１隅角部１５２ｄ、及び第２隅角部１５２ｅは、第４フランジ本体１５２ａを面取り加工することによって、形成される。なお、傾斜面１５２ｃ、第１隅角部１５２ｄ、及び第２隅角部１５２ｅを、傾斜部として解釈してもよい。
【０１７１】
＜まとめ＞
電動リール１では、モータ９の駆動軸５５の第２回転軸心Ｊ２が、スプール７,１１７の第１回転軸心Ｊ１と食い違う方向に延びている。クラッチ部材１１の第２揺動軸心Ｋ２は、スプール７,１１７の第１回転軸心Ｊ１と食い違う方向に延びている。スプール７,１１７の第１回転軸心Ｊ１に垂直な方向視において、クラッチ部材１１の第２揺動軸心Ｋ２は、駆動軸５５の第２回転軸心Ｊ２と間隔を隔てて配置される。この配置において、クラッチ部材１１の第２揺動軸心Ｋ２と駆動軸５５の第２回転軸心Ｊ２との間において、クラッチ部材１１は駆動軸５５を押圧する。これにより、クラッチ部材１１は、駆動軸５５をスプール７,１１７から離反させる。
【０１７２】
このように、電動リール１では、クラッチ部材１１によって駆動軸５５をスプール７,１１７から離反させることができる。また、クラッチ部材１１の第２揺動軸心Ｋ２が、スプール７の第１回転軸心Ｊ１に垂直な方向視において、駆動軸５５の第２回転軸心Ｊ２と間隔を隔てて配置されているので、スプール７の第１回転軸心Ｊ１に沿う方向視において、駆動軸５５及び第２回転軸心Ｊ２の間隔を狭めることができる。これにより、リール本体３の高さ寸法を小型化することができる。
【０１７３】
電動リール１では、糸止め部材１３,１１３,２１３は、スプール軸５に関する軸方向において、第２フランジ部５１（又は第４フランジ部１５２）の外側面より内側に配置されるので、釣りを行っている際に釣り糸が第２フランジ部５１の軸方向外側に配置されても、釣り糸が糸止め部材１３,１１３,２１３に引っ掛かりにくい。すなわち、電動リール１では、リール使用時に糸止め部材１３,１１３,２１３に釣り糸が引っ掛かることを、防止することができる。
【０１７４】
本電動リール１では、釣糸侵入規制部３５が、第１フランジ部４９の外周部を覆っているので、メインケース２１及び第１フランジ部４９の間への釣り糸の侵入を規制することができる。すなわち、本電動リール１では、リール本体３及び第１フランジ部４９の間への釣り糸の侵入を規制することができる。
【０１７５】
〔他の実施形態〕
（ａ）前記実施形態では、メインケース２１が、２つのケース部材（第１ケース部材２７及び、第２ケース部材２９）を有する場合の例を示したが、メインケース２１を構成するケース部材の個数は、これに限定されるものではない。
【０１７６】
（ｂ）前記実施形態ではスプール軸５を、水平且つ釣り糸の繰り出し方向に垂直に配置される場合の例を示したが、釣り糸の繰り出し方向に対して平行、又は釣り糸の繰り出し方向に対して傾けて配置してもよい。
【符号の説明】
【０１７７】
１  電動リール
Ｒ  釣竿
３  リール本体
５  スプール軸
７,１１７  スプール
９  モータ
１１  クラッチ部材
１３,１１３,２１３  糸止め部材
１５  第１付勢部材
１７  第２付勢部材
１９  電源部
２７ｃ  長孔部
４７  糸巻き胴部
４９  第１フランジ部
５１  第２フランジ部
１５１  第３フランジ部
１５２  第４フランジ部
５１ｂ  第３凹部
５１ｃ  第１溝部
５５  駆動軸
５７  装着部
５９  押圧部
６１  延長部
６３  内蓋部
６５,１６５,２６５  糸止め用の係止部
６７,２６７  糸止め用の装着部
６９,２６９  糸止め用の連結部
１５２ｃ  傾斜面
１５２ｄ  第１隅角部
１５２ｅ  第２隅角部
Ｊ１  第１回転軸心
Ｊ２  第２回転軸心
Ｋ１  第１揺動軸心
Ｋ２  第２揺動軸心
Ｓ  内部空間
Ｇ  外部空間